(57)【要約】【課題】  帯封を巻き付けた蓋体付き容器本体が複数回加熱されても、この蓋体付き容器本体が変形することがないようにした加熱食品用容器を提供する。【解決手段】  本加熱食品用容器は、食材が詰められる容器本体１１に蓋体１２が被さっている蓋体付き容器本体１０に、熱収縮性を有する無端の帯封２０が巻き付けられている。この帯封２０は、巻回部２１と余分２２を有し、１回目の加熱に際して、前記余分２２が仮貼り合わせされた状態で、巻回部２１が収縮して蓋体付き容器本体１０の周囲に密着した状態に巻き付き、２回目の加熱に際して、余分２２の仮貼り合わせが剥がされ、収縮した巻回部２１と余分２２とが収縮して蓋体付き容器本体１０の周囲に密着した状態に巻き付く長さで蓋帯付き容器本体１０を囲繞する。また、余分２２は、複数箇所で仮貼り合せされる。また、帯封２０は、容器本体１１の底面と蓋体１２の上面とに接合するように蓋体付き容器本体１０に巻き付けられる。【選択図】  図１
2006321533.tif 000002
【特許請求の範囲】
【請求項１】
食材が詰められる容器本体に蓋体が被さっている蓋体付き容器本体に、熱収縮性を有する無端の帯封が巻き付けられ、複数回加熱される加熱食品用容器であって、
前記帯封は、巻回部と余分とを有し、１回目の加熱に際して、前記余分が仮貼り合わせされた状態で、巻回部が収縮して蓋体付き容器本体の周囲に密着した状態に巻き付き、２回目の加熱に際して、余分の仮貼り合わせが剥がされ、収縮した巻回部と余分とが収縮して蓋体付き容器本体の周囲に密着した状態に巻き付くことを特徴とする加熱食品用容器。
【請求項２】
前記余分は、２回目の加熱の直前で強制的に剥がされる貼着力をもって仮貼り合わせされていることを特徴とする請求項１に記載の加熱食品用容器。
【請求項３】
前記余分は、複数箇所で仮貼り合せされていることを特徴とする請求項１または２に記載の加熱食品用容器。
【請求項４】
前記余分は、帯封の裏面同士が重なり合い、該裏面の全面または一部が仮貼り合わせされていることを特徴とする請求項１から３のいずれか一つに記載の加熱食品用容器。
【請求項５】
前記余分は、巻回部に重なり合い、全面または一部が巻回部に仮貼り合わせされていることを特徴とする請求項１から４のいずれか一つに記載の加熱食品用容器。
【請求項６】
前記帯封は、容器本体の底面と蓋体の上面とに接合するように密着した状態に蓋体付き容器本体に巻き付けられていることを特徴とする請求項１から５のいずれか一つに記載の加熱食品用容器。
【請求項７】
前記帯封に、商品情報が表示されていることを特徴とする請求項１から６のいずれか一つに記載の加熱食品用容器。
【発明の詳細な説明】
【技術分野】
【０００１】
本発明は、持帰り用の弁当、麺類、グラタンその他の食品を包装するための加熱食品用容器に関し、詳しくは、食材が詰められる容器本体に蓋体を被せた蓋体付き容器本体が無端の帯封に巻き付けられている加熱食品用容器に関する。
【背景技術】
【０００２】
コンビニエンスストアなどの店舗では、米飯や惣菜を詰め合わせた弁当、焼そばなどの麺類、グラタンその他の食品（以下、総称して「弁当」という。）が加熱食品用容器に包装されて販売されている。加熱食品用容器には、上側に開口部を設け、弁当の食材が詰められる容器本体と、前記開口部に被せられる蓋体とが組み合わされ、無端の帯封が密着した状態に巻き付けられることにより、蓋体が容器本体から外れないようにしたものもある。そして、容器本体の底部および蓋体の隅部、または帯封などに商品名や価額、原材料、消費期限その他の商品情報を表示したラベルが貼付されている。
【０００３】
また、電子レンジで加熱することができるようにした包装容器が特許文献１に開示されている。この包装容器は、嵌合している容器本体と蓋体の少なくとも両周側面部分外周が帯封によって一体包被されていることを特徴としている。そして、帯封は、幅方向に延伸形成されてなる合成樹脂フィルム製であり、加熱されることにより、幅方向に収縮する。したがって、容器本体および蓋体の周側面部分に凹凸が形成されていても、帯封は、周側面部分に密着し、帯封を切り裂かない限り、包装を解くことができないようにされている。
【０００４】
なお、特許文献１に開示された帯封は、容器本体と蓋体の周側面部分に巻き付けられているが、容器本体の底部および両側部そして蓋体の上面に密着する状態に巻き付けられる帯封もある。
【０００５】
【特許文献１】実開平５−１０２７１号公報
【発明の開示】
【発明が解決しようとする課題】
【０００６】
前記帯封は、食品工場において、容器本体の開口部に蓋体が被せられた蓋体付き容器本体に余裕をもって囲繞された後、軽く加熱されて収縮することにより、蓋体付き容器本体に密着した状態に巻き付き、蓋体が容器本体から外れないようにして出荷されている。そして、コンビニエンスストアなどの店舗においては、弁当を温め直して販売される場合がある。
【０００７】
このとき、蓋体付き容器本体に帯封が密着して巻き付いていると、加熱された帯封が収縮しすぎ、蓋体付き容器本体が括れた状態に変形する。特に、安価な弁当は、加熱食品用容器も低廉な材料で薄肉に成形されていることから、変形しやすくなっている。
【０００８】
したがって、帯封を蓋体付き容器本体から外して加熱することにより、蓋体付き容器本体が変形しないようにすることができる。
【０００９】
しかし、帯封が外されると、弁当を持帰っている途中において、蓋体が容器本体から外れやすくなる。また、帯封に商品情報を記載したラベルが貼付されていると、帯封を蓋体付き容器本体から外すことは好ましくない。したがって、外した帯封を蓋体付き容器本体に巻き付け直してもよいが、面倒な作業となる。
【００１０】
そこで、本発明は、帯封を巻き付けた蓋体付き容器本体が複数回加熱されても、この蓋体付き容器本体が変形することがないようにした加熱食品用容器を提供することを課題とする。
【課題を解決するための手段】
【００１１】
本発明に係る加熱食品用容器は、食材が詰められる容器本体に蓋体が被さっている蓋体付き容器本体に、熱収縮性を有する無端の帯封が巻き付けられ、複数回加熱される加熱食品用容器であって、前記帯封は、巻回部と余分とを有し、１回目の加熱に際して、前記余分が仮貼り合わせされた状態で、巻回部が収縮して蓋体付き容器本体の周囲に密着した状態に巻き付き、２回目の加熱に際して、余分の仮貼り合わせが剥がされ、収縮した巻回部と余分とが収縮して蓋体付き容器本体の周囲に密着した状態に巻き付くことを特徴としている。
【００１２】
この加熱食品用容器によれば、帯封が巻回部と余分とを有し、食品工場などにおいて、余分が仮貼り合わされた状態で、巻回部のみが蓋体付き容器本体を余裕をもって囲繞して、１回目の加熱がされることにより、巻回部が収縮して蓋体付き容器本体に密着した状態に巻き付き、蓋体が容器本体から外れないようにして出荷される。このとき、帯封は、１回目の加熱により、巻回部が収縮しすぎて蓋体付き容器本体を括れた状態に変形させないようにされている。そして、店舗において、余分の仮貼り合わせが剥がされ、収縮した巻回部と余分とが蓋体付き容器本体を余裕をもって囲繞した状態で、２回目の加熱がされることにより、巻回部と余分が収縮し、蓋体付き容器本体に密着した状態に巻き付く。巻回部と余分は、余裕をもって蓋体付き容器本体を囲繞しているため、２回目の加熱がされて収縮したときに、蓋体付き容器本体を括れた状態に変形させないように密着した状態に巻き付く。
【００１３】
また、前記本発明に係る加熱食品用容器において、前記余分は、２回目の加熱の直前で強制的に剥がされる貼着力をもって仮貼り合わせされていることが好ましい。この加熱食品用容器によれば、余分が２回目の加熱の直前で強制的に剥がされる貼着力をもって仮貼り合わせされていることにより、２回目の加熱がされるまでは、余分は仮貼り合わせが剥がれることがなく、また、２回目の加熱の直前で強制的に剥がされることにより、巻回部と余分とは、蓋体付き容器本体を余裕を持って囲繞し、２回目の加熱によって、蓋付き容器本帯を括れた状態に変形させないように巻き付く。
【００１４】
また、前記本発明に係る加熱食品用容器において、前記余分は、複数箇所で仮貼り合せされていることが好ましい。この加熱食品用容器によれば、余分が複数箇所で仮貼り合せされていることにより、仮貼り合せされた余分のそれぞれは、１箇所で仮貼り合せされる場合よりも小さくなり、仮貼り合わせを剥がしやすくすることができる。
【００１５】
また、前記本発明に係る加熱食品用容器において、前記余分は、帯封の裏面同士が重なり合い、該裏面の全面または一部が仮貼り合わせされていることが好ましい。この加熱食品用容器によれば、パートコートなどによって余分を仮貼り合わせすることができるため、この仮貼り合わせの作業を効率的に行うことができる。
【００１６】
また、前記本発明に係る加熱食品用容器において、前記余分は、巻回部に重なり合い、全面または一部が巻回部に仮貼り合わせされていることが好ましい。この加熱食品用容器によれば、余分が巻回部に仮貼り合わせされることにより、余分が巻回部から立ち上がる状態とならず、周囲のものに引っ掛からないようにすることができる。なお、余分の裏面同士が仮貼り合わせされず、余分と巻回部とだけが仮貼り合わせされても、複数回の加熱によって蓋体付き容器本体が変形しないようにすることができる。
【００１７】
また、前記本発明に係る加熱食品用容器において、前記帯封は、容器本体の底面と蓋体の上面とに接合するように密着した状態に蓋体付き容器本体に巻き付くことが好ましい。この加熱食品用容器によれば、帯封が容器本体の底面と蓋体の上面とに接合するように蓋体付き容器本体に密着した状態に巻き付けられることにより、帯封を蓋体付き容器本体に巻き付ける作業が容易になり、また、密着した状態に巻き付けられた帯封が蓋体付き容器本体から外れにくいようにすることができる。
【００１８】
また、前記本発明に係る加熱食品用容器において、前記帯封に、商品情報が表示されていてもよい。帯封に商品名や消費期限などの商品情報が表示され、帯封が蓋体付き容器本体に密着した状態に巻き付けられて持帰られる場合であっても、本発明においては、２回目の加熱がされる前には、帯封が蓋体付き容器本体に余裕をもって囲繞し、２回目の加熱がされることによって、帯封が密着した状態に巻き付くため、店舗において帯封を外したり巻き付けたりするなどの面倒な作業を解消することができる。なお、帯封に商品情報が表示されるとは、商品情報を印刷したラベルを帯封に貼付するだけでなく、商品情報を帯封に直接印刷する場合も含まれる。
【発明の効果】
【００１９】
本発明によれば、無端の帯封が巻回部と余分とを有し、余分が仮貼り合せされた状態で１回目の加熱がされることにより、巻回部が収縮して蓋体付き容器本体を変形させることなく密着した状態に巻き付き、そして、余分の仮貼り合わせが剥がされた状態で２回目の加熱がされることにより、収縮した巻回部と余分とが蓋体付き容器本体を変形させることなく密着した状態に巻き付く。したがって、店舗において弁当を温め直すときに、帯封を外したり巻き付け直したりする手間を省くことができるようになり、店舗での作業性が向上し、客を待たせることがないなどのサービスの向上を図ることができる。
【発明を実施するための最良の形態】
【００２０】
本発明に係る加熱食品用容器の一実施形態について図１ないし図４を参照しながら説明する。なお、図２ないし図３の断面図において、食材の図示は省略してある。
【００２１】
本実施形態における加熱食品用容器は、食材が詰められる容器本体１１に蓋体１２が被さっている蓋体付き容器本体１０に、熱収縮性を有する無端の帯封２０が巻き付けられたもので、帯封２０が巻回部２１と余分２２を有していることを特徴としている。容器本体１１は、図示したようなトレー形状のほか、丼鉢形状など形状を限定するものではないが、上側に開口部が形成されている。
【００２２】
蓋体１２は、周囲が容器本体１１の開口部に被せられる形状に形成されている。すなわち、容器本体１１の開口部にと蓋体１２とは、図示したように、凹凸形状によって嵌合する場合の他、容器本体１１が上向きの桝形状、蓋体１２が下向きの桝形状とされ、蓋体１２の外周部が容器本体１１の外周部を取り囲むように蓋がされる場合なども含まれる。
【００２３】
そして、帯封２０は、蓋体付き容器本体１０に容易に巻き付けることができるように、容器本体１１の底面および両側面と蓋体１２の上面に接合するように巻き付けられている。また、このように巻き付けられた帯封２０は、蓋体付き容器本体１０から外れにくくなる。
【００２４】
そして、この帯封２０は、余裕をもって蓋体付き容器本体１０を囲繞し、加熱されることによって収縮し、蓋体付き容器本体１０に密着した状態に巻き付く。すなわち、加熱食品用容器が複数回、例えば２回加熱される場合に、２回加熱されることによって収縮した帯封２０が、蓋体付き容器本体１０を括れた状態に変形させることなく密着した状態に巻き付くようにするため、帯封２０には、巻回部２１と余分２２が設けられている。余分２２以外の帯封２０の部分が巻回部２１とされる。
【００２５】
詳しくは、この余分２２は、手などによって強制的に剥がすことのできる弱シールのような貼着力をもって帯封２０が仮貼り合せされることにより形成される。すなわち、余分２２は、１回目の加熱がされるまでは、図１および図２に示すように仮貼り合わせが剥がれず、２回目の加熱の直前で、図３に示すように仮貼り合わせが手などによって強制的に剥がされるようにされている。
【００２６】
そして、余分２２は、例えばパートコートにより、帯封２０の裏面同士が重ね合わされ、この裏面の全面または一部が仮貼り合わせされることにより効率的に形成される。あるいは、この余分２２が巻回部２１に重なり合い、この重なり合った全面または一部も仮貼り合わされることにより、余分が巻回部２１から立ち上がった状態とならず、周囲のものに引っ掛からないようにされている。さらに、余分２２の裏面同士は仮貼り合わせせず、余分２２と巻回部２１とが重なり合っている部分のみ仮貼り合わせしてもよい。いずれにしても、仮貼り合せは、容易に剥がすことができるように、それぞれが小さな２箇所または３箇所以上の複数箇所で形成されるが、収縮する長さや余分２２の幅に応じて１箇所のみで仮貼り合せしてもよい。
【００２７】
このような余分２２が仮貼り合せされた帯封２０は、図２の仮想線に示すように蓋体付き容器本体１１を余裕をもって囲繞する。この蓋体付き容器本体１０は、食品工場において、容器本体１１内に食材が詰められ、容器本体１１の開口部に蓋体１２が被せられる。そして、食品工場において１回目の加熱がされることにより、図１および図２の実線に示すように巻回部２１が収縮して蓋体付き容器本体１０に密着した状態に巻き付く。
【００２８】
ただし、蓋体付き容器本体１０を囲繞した帯封２０の余裕が大きすぎると、１回目の加熱がされても、巻回部２１が蓋体付き容器本体１０に密着した状態に巻き付かず、蓋体１２が容器本体１１から外れるおそれのある状態となり、逆に、余裕が小さすぎると、１回目の加熱により、収縮した帯封２０が蓋体付き容器本体１０が括れるように変形させる。したがって、蓋体付き容器本体１０を囲繞した帯封２０の余裕は、１回目の加熱により収縮する巻回部２１が蓋体付き容器本体１０を変形させないで密着した状態に巻き付くことができる程度とされている。
【００２９】
また、この１回目の加熱に際して、蓋体１２と重なり合っている帯封２０上に押さえ板（図示せず）が載せられる。この部分の帯封２０は、他の部分の帯封２０よりも加熱されにくいため、収縮率が小さくなっている。したがって、余分２２が１回目の加熱に際して収縮されにくいように、余分２２を蓋体１２上に位置させ、そして、この余分２２上に押さえ板が載せられるようにすることが好ましい。ただし、外観を良好にするため、余分２２は容器本体１１の底側に位置するようにしてもよい。
【００３０】
いずれにしても、帯封２０が蓋体１２に位置している部分には、商品情報が表示される。すなわち、この部分の巻回部２１に商品情報を記載したラベル２３が貼付され、あるいは、商品情報が印刷される。この巻回部２１に表示される商品情報は、例えば、商品名や消費期限、価格など必要最小限とすることにより、容器本体１１内に詰められた食材を見やすいようにし、原材料名や製造元などの商品情報は、容器本体１１の底面に表示してもよい。
【００３１】
そして、蓋体付き容器本体１０は、帯封２０が密着した状態に巻き付き、蓋体１２が外れないようにして、食品工場から出荷され、コンビニエンスストアなどの店舗で販売される。この店舗において、弁当が販売されるときに、温められた状態で食することができるように、２回目の加熱がされる。この蓋体付き容器本体１０に巻き付いている帯封２０には、商品情報が表示されているため、また、蓋体１２が容器本体１１から外れやすい状態となって持ち帰ることがないようにするため、蓋体付き容器本体１０は帯封２０が巻き付けられたまま２回目の加熱がされる。
【００３２】
ただし、２回目の加熱の直前に、帯封２０の余分２２の仮貼り合わせが手などによって強制的に剥がされ、帯封２０は図３に示すように、余分２２が巻回部２１に吸収一体化された状態となり、蓋体付き容器本体１０を余裕をもって囲繞する。そして、２回目の加熱によって、帯封２０は収縮し、蓋体付き容器本体１０に密着した状態に巻き付く。
【００３３】
すなわち、帯封２０の余裕が大きすぎると、２回目の加熱によって、帯封２０が蓋体付き容器本体１０に巻き付かず、蓋体１２が外れるおそれがあり、逆に、帯封２０の余裕が小さすぎると、２回目の加熱によって、帯封２０が蓋体付き容器本体１０を括れるように変形させるまで収縮する。したがって、蓋体付き容器本体１０に巻き付く帯封２０の余裕とは、２回目の加熱によって帯封２０が蓋体付き容器本体１０を変形させることなく密着した状態に巻き付く程度とされる。
【００３４】
そして、２回目の加熱によって帯封２０が蓋体付き容器本体１０に密着した状態に巻き付くことにより、蓋体１２が容器本体１１から外れることがない。また、蓋体付き容器本体１０に帯封２０が巻き付き、帯封２０に商品情報が表示されていることにより、弁当購入者は、弁当の消費期限や価格などを確認することができる。さらに、弁当購入者は、温められた弁当を食することができる。
【００３５】
なお、本発明は、前記実施の形態に限定することなく、特許請求の範囲に記載した発明特定事項の範囲内において種々変更することができる。例えば、帯封２０は、容器本体１１の底面と蓋体１２の上面とに接合するように巻き付けられるのではなく、容器本体１１と蓋体１２との嵌合部に巻き付くようにすることもできる。
【００３６】
また、３回以上加熱される場合は、その回数に応じた余分２２を貼り合せるようにすることができる。さらに、余分２２の仮貼り合わせの貼着力が２回目の加熱によって自然に弱められ、余分２２の仮貼り合わせが自然と剥がされるという特性を有している場合は、２回目の加熱の直前で、余分２２の仮貼り合わせを手などで強制的に剥がさないで２回目の加熱をすることもできる。
【図面の簡単な説明】
【００３７】
【図１】本発明に係る加熱食品用容器の一実施形態であって、１回目の加熱後の状態を示す概略斜視図である。
【図２】本発明に係る加熱食品用容器の一実施形態であって、１回目の加熱後の状態を示す概略正面断面図である。
【図３】本発明に係る加熱食品用容器の一実施形態であって、２回目の加熱前の状態を示す断面正面図である。
【図４】本発明に係る加熱食品用容器の一実施形態であって、２回目の加熱後の状態を示す正面断面図である。
【符号の説明】
【００３８】
１０…蓋体付き容器本体
１１…容器本体
１２…蓋体
２０…帯封
２１…巻回部
２２…余分
【図１】
2006321533.tif 000003
【図２】
2006321533.tif 000004
【図３】
2006321533.tif 000005
【図４】
2006321533.tif 000006